(57)【要約】【課題】それぞれ異なる多種のマッサージ方式を備え、人手によるマッサージの効果を生じることができる臀部マッサージ器を提供する。【解決手段】制御設備、制御設備と電気接続する振動機構３、及び揉みヘッド機構５を備える。振動機構３は、モータ、及びモータの伝動軸と接続する偏心部材を更に有し、揉みヘッド機構５は、モータ５０、モータ５０の伝動軸５００と接続するウォーム、ウォームと噛合うウォームホイール、ウォームホイールと噛合うマッサージ歯車、一端がマッサージ歯車と接続するマッサージ軸５６、及び、マッサージ軸５６の他の一端と接続する少なくとも１個の揉みヘッド５７ａ、５７ｂを更に有する。【選択図】図２
0003142665.tif 000002
【実用新案登録請求の範囲】
【請求項１】
制御設備と、前記制御設備と電気接続する振動機構と、揉みヘッド機構と、を備え、
前記振動機構が、第一モータと、前記第一モータの第一伝動軸と接続する偏心部材とを有し、
前記揉みヘッド機構が、第二モータと、前記第二モータの第二伝動軸と接続するウォームと、前記ウォームと噛合うウォームホイールと、前記ウォームホイールと噛合うマッサージ歯車と、一端が前記マッサージ歯車と接続するマッサージ軸と、前記マッサージ軸の他の一端と接続する少なくとも１個の揉みヘッドとを有することを特徴とする臀部マッサージ器。
【請求項２】
前記揉みヘッドは、一側が前記ウォームホイールと噛合い、他の一側が前記マッサージ歯車と噛合う中間歯車を有することを特徴とする請求項１に記載の臀部マッサージ器。
【請求項３】
前記中間歯車の歯数が前記マッサージ歯車の歯数より多くなっていることを特徴とする請求項２に記載の臀部マッサージ器。
【請求項４】
前記揉みヘッド機構は、前記揉みヘッドと前記マッサージ軸との間に接続されて設置されるマッサージ・ブラケットを更に有することを特徴とする請求項１に記載の臀部マッサージ器。
【請求項５】
高さがそれぞれ異なる数個の前記揉みヘッドが前記マッサージ・ブラケットに設置されることを特徴とする請求項４に記載の臀部マッサージ器。
【請求項６】
前記揉みヘッド機構は、前記揉みヘッドの周囲に設けられる保護部材を更に有することを特徴とする請求項１に記載の臀部マッサージ器。
【請求項７】
前記制御設備と電気的に接続する装飾ラップをさらに備えることを特徴とする請求項１に記載の臀部マッサージ器。
【請求項８】
前記揉みヘッド機構はモータ用下部固定棚とモータ用上部固定棚とを更に有し、前記ウォームと、前記ウォームホイールと、前記マッサージ歯車と、前記マッサージ軸とを前記モータ用下部固定棚と前記モータ用上部固定棚との間に取付け、且つ前記マッサージ軸及び前記揉みヘッドを前記モータ用上部固定棚から露出して設置することを特徴とする請求項１に記載の臀部マッサージ器。
【請求項９】
前記振動機構はモータ用上部ブラケット及びモータ用下部ブラケットを更に有し、前記振動機構の前記第一モータ及び前記偏心部材を前記モータ用上部ブラケットと前記モータ用下部ブラケットとから形成された空間に収容することを特徴とする請求項１に記載の臀部マッサージ器。
【請求項１０】
フォーム・スポンジ部材を更に有し、前記フォーム・スポンジ部材の中に前記制御設備、前記振動機構及び前記揉みヘッドを設けられたことを特徴とする請求項１に記載の臀部マッサージ器。
【考案の詳細な説明】
【技術分野】
【０００１】
本考案は健康器具に関し、特に、人の臀部に対して同時に多種方式のマッサージを行うことができる臀部マッサージ器に関する。
【背景技術】
【０００２】
人々の生活レベルの向上に伴って、社会リズム及び仕事によるストレスもどんどん大きくなり、労働者たちは自分で仕事のストレス及び体の疲れを癒す必要があり、いろいろな健康器具が普通の家庭にもどんどん普及している。
現在、人の臀部に対するマッサージは主に人手によるマッサージと機械マッサージに分けられるが、人手によるマッサージは肉体労働であって、施術者への負担が大きく、且つマッサージの品質が確保できないので、指定された場所で専門家により行うことが必要になり、いつでもどこでもマッサージを行うことができない。また、機械マッサージにおいて、現在の臀部マッサージ器のマッサージ方式は単調すぎて、基本のマッサージ手法の効果を生じることができず、マッサージ時は柔らかさに欠けていて、人手によるマッサージの効果には及ばない。
【考案の開示】
【考案が解決しようとする課題】
【０００３】
以上問題点に鑑みて、本考案は、それぞれ異なる多種のマッサージ方式を備え、且つ人手によるマッサージと同等の効果を生じうる臀部マッサージ器を提供することを目的とする。
【課題を解決するための手段】
【０００４】
上記目的を実現するために、本考案に係る臀部マッサージ器は、制御設備、制御設備と電気接続する振動機構、及び、揉みヘッド機構を備える。その中で、振動機構は、モータ及びモータの伝動軸と接続する偏心部材とを更に有する。揉みヘッド機構は、モータ、モータの伝動軸と接続するウォーム、ウォームと噛合うウォームホイール、ウォームホイールと噛合うマッサージ歯車、一端がマッサージ歯車と接続するマッサージ軸、及び、マッサージ軸の他の一端と接続する少なくとも１個の揉みヘッドを更に有する。
【０００５】
揉みヘッド機構は、歯数がマッサージ歯車の歯数より多い中間歯車を更に有し、中間歯車の一側をウォームホイールと噛合わせ、他の一側をマッサージ歯車と噛合わせることによって、マッサージ歯車のスピードを調節するものとしてもよい。
また、揉みヘッド機構は、揉みヘッドとマッサージ軸との間に接続されて設置されるマッサージ・ブラケットを更に有してもよい。ここで、臀部マッサージ器は、マッサージ・ブラケットに配置され且つそれぞれ異なる高さである数個の揉みヘッドを有することで、広い面積のマッサージ、更には強度がそれぞれ異なるマッサージを行う。
【０００６】
揉みヘッド機構は、揉みヘッドの周囲に設置される保護部材を更に有し、マッサージ・ブラケットをその回転が外部と干渉しないように保護され、さらに、臀部マッサージ器が制御設備と電機的に接続する装飾ラップを有し、装飾ラップをつけたことで高級感を与えるようにしてもよい。
（発明の効果）
従来の技術に比べ、本考案による臀部マッサージ器は、人体の臀部に対して、振動機構による振動マッサージと、揉みヘッド機構による回転揉みマッサージとを行い、且つこれらのマッサージ機構が人手によるマッサージを模倣した効果を生じて、従来の臀部マッサージ器のマッサージ方式が単調で人手によるマッサージに及ばないという問題を克服することができる。
【考案を実施するための最良の形態】
【０００７】
（一実施形態）
以下、図面に基づいて、本考案の具体的な実施の形態について詳細に説明する。
図１、図２及び図３に示すように、本考案の一実施形態による臀部マッサージ器は、フォーム・スポンジ部材１、フォーム・スポンジ部材１に収容された制御設備２、振動機構３、及び揉みヘッド機構５を備える。制御設備２を振動機構３及び揉みヘッド機構５のモータに別々に電気的に接続させて振動機構３と揉みヘッド機構５との作動を制御し、振動機構３をフォーム・スポンジ部材１の振動領域１０の範囲に配置し、揉みヘッド機構５をフォーム・スポンジ部材１のマッサージ領域１１の範囲に配置し、かつ、制御設備２をフォーム・スポンジ部材１の制御領域１２の範囲に配置しておく。
【０００８】
また、図２及び図４に示すように、振動機構３の振動は、モータ３１にてモータ３１の伝動軸３３に接続される偏心体３２を動かすことによって生じ、モータ３１及び偏心体３２はモータ用下部ブラケット３０ａとモータ用上部ブラケット３０ｂとから形成された空間に収容される。詳細には、モータ用下部ブラケット３０ａ及びモータ用上部ブラケット３０ｂはすべて内壁に複数のブラケット３４が設けられ、且つ断面が半円形を呈する溝状に構成される。従来の方式でモータ用下部ブラケット３０ａとモータ用上部ブラケット３０ｂとを組合わせ、中空の円柱体を組立てる。振動機構３は、円柱体の両端に分布し且つ対応するブラケット３４に搭載される２組のモータ３１及び偏心部材３２を有する。なお、モータと偏心部材との組数及び配置方式はこれに限定されず、需要に応じて選定することができる。
【０００９】
また、図２及び図５に示すように、揉みヘッド機構５は、モータ５０、モータ用下部固定棚５２ａ、モータ用上部固定棚５２ｂ、ウォーム５１、ウォームホイール５３、中間歯車５４、マッサージ歯車５５、マッサージ軸５６、マッサージ・ブラケット５８、及び揉みヘッド５７ａ、５７ｂを有する。ウォームホイール５３、中間歯車５４、マッサージ歯車５５、およびマッサージ軸５６は、モータ用下部固定棚５２ａとモータ用上部固定棚５２ｂとの間に取り付けられ、且つマッサージ軸及び揉みヘッドがモータ用上部固定棚５２ｂから露出する。
【００１０】
より詳しく説明すると、モータ５０の伝動軸５００はウォーム５１と接続し、ウォームホイール５３は、ウォーム５１の一側に配置されてウォーム５１と噛合い、且つモータ用下部固定棚５２ａの上における支柱５２１に回転自在に支持される。中間歯車５４は、ウォームホイール５３とマッサージ歯車５５との間に位置し、且つモータ用下部固定棚５２ａの上における支柱５２２に回転自在に支持され、モータ用上部固定棚５２ｂはモータ用下部固定棚５２ａの上に設けられる。マッサージ軸５６は、その一端がマッサージ歯車５５と接続し、もう一端がモータ用上部固定棚５２ｂを通りマッサージ・ブラケット５８の接続孔５８０と接続する。これにより、マッサージ軸５６とマッサージ・ブラケット５８とはマッサージ歯車５５と共に回転する。
【００１１】
揉みヘッド５７ａはマッサージ・ブラケット５８の支柱５８ａと接続し、揉みヘッド５７ｂはマッサージ・ブラケット５８の支柱５８ｂと接続し、これらのヘッド５７ａ、５７ｂはマッサージ・ブラケット５８の接続孔５８０の両側にそれぞれ配置される。モータ５０の駆動によりウォーム５１を回転させ、またウォーム５１によりこれと噛合うウォームホイール５３を動かし、またウォームホイール５３の回転によりこれと噛合う中間歯車５４を動かす。そして、中間歯車５４によりこれと噛合うマッサージ歯車５５を動かし、更にマッサージ歯車５５によりマッサージ軸５６を通してマッサージ・ブラケット５８を回転させる。
【００１２】
それから、マッサージ・ブラケット５８の回転によりマッサージ・ブラケット５８の接続孔５８０の周りに位置する揉みヘッド５７ａ、５７ｂを回転させて、これらの揉みヘッド５７ａ、５７ｂが仮想円周に沿って回転して、人工的な回転揉みマッサージのような効果を生じる。また、１個のみの揉みヘッドを設けてマッサージ・ブラケット５８を省略し、且つ前記マッサージ軸５６をクランクシャフトに設計して、当該揉みヘッドをこのクランクシャフトであるマッサージ軸５６の末端に直接接続させてもよく、これにより、当該揉みヘッドを仮想円周に沿って回転させることができて、人の手による回転揉みマッサージのような効果を生じる。
【００１３】
また、図５に示すように、中間歯車５４をその歯数がマッサージ歯車５５の歯数より多くなるように設計して、中間歯車５４の一側をウォームホイール５３に噛合わせ、且つ他の一側をマッサージ歯車５５に噛合わせることによって、マッサージ歯車５５の回転スピードを調節する。これにより、マッサージ歯車５５により駆動される揉みヘッド５７ａ、５７ｂの回転スピードを調節する。なお、マッサージ歯車５５の回転を調節する必要がなければ、中間歯車５４を省略して、ウォームホイール５３をマッサージ歯車５５に直接に噛合わせてもよい。揉みヘッド機構５のマッサージ・ブラケット５８は複数の揉みヘッドを接続するために用いられ、これらの揉みヘッドはマッサージ・ブラケット５８の接続孔５８０の周りに分布し且つ共に回転させられて、広い面積のマッサージ効果を生じる。
【００１４】
揉みヘッド機構５は、マッサージ・ブラケット５８の外側の周囲に設けられる保護リング５９も有しており、これによりマッサージ・ブラケット５８の回転が外部の物からの干渉を受けないように保護して、揉みヘッド５７ａ、５７ｂの正常な作動を確保する。また、揉みヘッド５７ａ、５７ｂがそれぞれ異なる高さを持っているので、人体に対して力が一様でない回転揉みマッサージを行うことができて、人手によるマッサージに似た効果がある。更に、揉みヘッド機構５は、２組のウォームホイール５３、中間歯車５４、マッサージ歯車５５、マッサージ軸５６、マッサージ・ブラケット５８、及び揉みヘッド５７ａ、５７ｂを有するとともに、この２組の部品をウォーム５１の両側に対称に配置する。
【００１５】
この揉みヘッド機構５におけるウォームホイール５３、中間歯車５４、マッサージ歯車５５、マッサージ軸５６、マッサージ・ブラケット５８、及び揉みヘッド５７ａ、５７ｂの組数及び配置方式はこれに限定されず、需要に応じて選定することができる。
なお、本考案による臀部マッサージ器には装飾ラップ４をも更に設け、装飾ラップ４はモータ用上部固定棚５２ｂに取付け且つ制御設備２に電機的に接続されるものとする。臀部マッサージ器の使用時、装飾ラップ４をつけることで高級感を与える。
【００１６】
以下、図２及び図３を参照して、本考案の一実施形態による臀部マッサージ器の作動過程について詳細に説明する。本実施形態において、振動機構３、揉みヘッド機構５及び装飾ラップ４は別々に外部電源から電力を受ける制御設備２と電気的に接続し、制御設備２で振動機構３、揉みヘッド機構５及び装飾ラップ４の作動状態を制御する。これらの振動機構３、揉みヘッド機構５及び装飾ラップ４は、三者が共に作動するよう、或いは何れか１個ずつ作動するよう、或いは何れか二者ずつ作動するように制御してもよく、振動機構３の振動周波数又は振動方式も制御できる。
【００１７】
上記のように、本考案による臀部マッサージ器は、人体の臀部に対して、その振動機構による振動マッサージと、その揉みヘッド機構による回転揉みマッサージを行い、且つこれらのマッサージ機構により人手によるマッサージに似た効果を生じて、従来の臀部マッサージ器のマッサージ方式が単調で人手によるマッサージに及ばないという問題を克服することができる。
勿論、以上説明したのは本考案の最良の実施形態であって、本考案は上記の実施形態に限定されず、本考案の主旨を逸脱しない範囲内で種々の変形が可能である。
【図面の簡単な説明】
【００１８】
【図１】本考案の一実施形態による臀部マッサージ器の斜視図である。
【図２】図１に示す臀部マッサージ器の分解斜視図である。
【図３】本考案の一実施形態による臀部マッサージ器の電気回路を示すブロック図である。
【図４】図２に示す臀部マッサージ器の振動機構の分解斜視図である。
【図５】図２に示す臀部マッサージ器の揉みヘッド機構の分解斜視図である。
【符号の説明】
【００１９】
１：フォーム・スポンジ部材、２：制御設備、３：振動機構、４：装飾ラップ、５：ヘッド機構、１０：振動領域、１１：マッサージ領域、１２：制御領域、３０ａ：モータ用下部ブラケット、３０ｂ：モータ用上部ブラケット、３１：モータ、３２：偏心体、３３：伝動軸、３４：ブラケット、５０：モータ、５１：ウォーム、５２ａ：モータ用下部固定棚、５２ｂ：モータ用上部固定棚、５３：ウォームホイール、５４：中間歯車、５５：マッサージ歯車、５６：マッサージ軸、５７ａ：ヘッド、５７ｂ：ヘッド、５８：マッサージ・ブラケット、５８ａ：支柱、５８ｂ：支柱、５９  保護リング、５００：伝動軸、５２１：支柱、５２２：支柱、５８０：接続、５８０：接続孔
【図１】
0003142665.tif 000003
【図２】
0003142665.tif 000004
【図３】
0003142665.tif 000005
【図４】
0003142665.tif 000006
【図５】
0003142665.tif 000007